(57)【特許請求の範囲】
【請求項１】
複数の隔室を有するケーソンの前記各隔室に中詰材を投入するときの管理システムであって、
ブームおよび投入部を駆動して中詰材をケーソンの隔室に投入する中詰材投入手段を有する船と、
前記中詰材の投入時における前記投入部の平面座標を計測する座標計測手段と、
前記ケーソンの各隔室の平面座標および中詰材投入情報をそれぞれ記憶する情報処理手段と、を備え、
前記情報処理手段は、前記中詰材の投入時に、その中詰材が投入された隔室を前記計測された投入部の平面座標に基づいて特定し、前記中詰材投入情報を前記特定された隔室と関連付けて記憶することを特徴とするケーソン中詰材投入管理システム。
【請求項２】
前記船が複数の場合、前記船毎に前記情報処理手段を配置し、前記各情報処理手段は互いに接続されて前記中詰材投入情報を記憶して共有する請求項１に記載のケーソン中詰材投入管理システム。
【請求項３】
前記ケーソンの隔室の平面位置および前記中詰材投入情報を表示する表示手段を備え、
前記表示手段は、前記中詰材の前記隔室への投入毎に累積された前記中詰材投入情報を表示する請求項１または２に記載のケーソン中詰材投入管理システム。
【請求項４】
前記中詰材投入情報は、前記中詰材投入手段による中詰材の隔室への投入回数であり、
前記表示手段は、前記隔室の平面位置に前記投入回数を表示し、前記投入回数が最も少ない隔室について表示をする請求項３に記載のケーソン中詰材投入管理システム。
【請求項５】
前記中詰材投入手段による中詰材の各隔室への投入を所定の順序で行うように前記表示手段は前記中詰材を次に投入すべき隔室について表示をする請求項３に記載のケーソン中詰材投入管理システム。
【請求項６】
複数の隔室を有するケーソンの各隔室に中詰材を投入するときの管理方法であって、
船が有する中詰材投入手段がブームおよび投入部を駆動して中詰材をケーソンの隔室に投入する時、前記投入部の平面座標を計測するステップと、
前記中詰材が投入された隔室を前記計測された投入部の平面座標に基づいて情報処理手段が特定するステップと、
前記情報処理手段が中詰材投入情報を前記特定された隔室と関連付けて記憶するステップと、を含むことを特徴とするケーソン中詰材投入管理方法。
【請求項７】
前記船が複数あり各中詰材投入手段を用いて中詰材を投入する場合、前記船毎に前記情報処理手段を配置し、前記各情報処理手段は互いに接続され、
前記記憶ステップにおいて前記各情報処理手段が別の船における中詰材投入情報を記憶して共有する請求項６に記載のケーソン中詰材投入管理方法。
【請求項８】
前記情報処理手段が前記ケーソンの隔室の平面座標および前記中詰材投入情報を表示手段に表示させる表示ステップをさらに含み、
前記中詰材の前記隔室への投入毎に累積された前記中詰材投入情報を表示する請求項６または７に記載のケーソン中詰材投入管理方法。
【請求項９】
前記中詰材投入情報は、前記中詰材投入手段による中詰材の隔室への投入回数であり、
前記表示ステップにおいて前記隔室の平面位置に前記投入回数を表示し、前記投入回数が最も少ない隔室について表示をする請求項８に記載のケーソン中詰材投入管理方法。
【請求項１０】
前記中詰材投入手段による中詰材の各隔室への投入を所定の順序で行うように前記表示ステップにおいて前記中詰材を次に投入すべき隔室について表示をする請求項８に記載のケーソン中詰材投入管理方法。
【請求項１１】
複数の隔室を有するケーソンの各隔室に中詰材を投入するときの管理方法であって、請求項１乃至５のいずれか１項に記載のケーソン中詰材投入管理システムを用いることを特徴とするケーソン中詰材投入管理方法。
【請求項１２】
請求項６乃至１０のいずれか１項に記載のケーソン中詰材投入管理方法における各ステップを情報処理手段に実行させるためのコンピュータ用プログラム。
【発明の詳細な説明】
【技術分野】
【０００１】
本発明は、ケーソンに中詰材を投入する場合のケーソン中詰材投入管理システム、方法およびそのためのコンピュータ用プログラムに関する。
【背景技術】
【０００２】
従来、岸壁や護岸などの工事で水底に重力式ケーソンを設置する場合、ガット船を使用してケーソンの中空部に対し上部の開口から中詰砂を投入している。このとき、ガット船をケーソンに接舷して、オペレータの経験や感覚で中詰砂を投入するのが一般的であった。従来の方法によると、ガット船によるケーソンへの中詰砂の投入回数や投入済箇所については、オペレータの記憶や目視で確認しながら投入を行っていた。
【発明の開示】
【発明が解決しようとする課題】
【０００３】
ところが、多数の隔室を持つ大型ケーソンについて、例えば、ガット船２隻で中詰砂の投入作業を行う場合、隔室毎の投入箇所の把握が難しいという問題があった。また、複数の隔室に均等に砂を投入しないとケーソンに偏荷重が発生してケーソンが傾く恐れが生じてしまうため、ケーソンに対する中詰砂の確実な投入管理が必要である。
【０００４】
本発明は、上述のような従来技術の問題に鑑み、ケーソンの各隔室へ中詰砂を投入するとき、複数のガット船を使用した場合でも、ケーソンの隔室毎に中詰砂の投入量を正確に把握し中詰砂を均等に投入できるように管理可能なケーソン中詰材投入管理システム、方法およびそのためのコンピュータ用プログラムを提供することを目的とする。
【課題を解決するための手段】
【０００５】
上記目的を達成するための本実施形態によるケーソン中詰材投入管理システムは、複数の隔室を有するケーソンの前記各隔室に中詰材を投入するときの管理システムであって、ブームおよび投入部を駆動して中詰材をケーソンの隔室に投入する中詰材投入手段を有する船と、前記中詰材の投入時における前記投入部の平面座標を計測する座標計測手段と、前記ケーソンの各隔室の平面座標および中詰材投入情報をそれぞれ記憶する情報処理手段と、を備え、前記情報処理手段は、前記中詰材の投入時に、その中詰材が投入された隔室を前記計測された投入部の平面座標に基づいて特定し、前記中詰材投入情報を前記特定された隔室と関連付けて記憶することを特徴とする。
【０００６】
このケーソン中詰材投入管理システムによれば、ケーソンの各隔室へ中詰材を投入するとき、ケーソンの隔室毎に中詰砂の投入量を正確に把握し中詰砂を均等に投入できるように管理することができる。これにより、ケーソンにおける偏荷重や傾きの発生を防ぐことができる。
【０００７】
上記ケーソン中詰材投入管理システムにおいて前記船が複数の場合、前記船毎に前記情報処理手段を配置し、前記各情報処理手段は互いに接続されて前記中詰材投入情報を記憶して共有することにより、複数のガット船を使用した場合でも、ケーソンの隔室毎に中詰砂の投入量を正確に把握し中詰砂を均等に投入できるように管理できる。
【０００８】
また、前記ケーソンの隔室の平面位置および前記中詰材投入情報を表示する表示手段を備え、前記表示手段は、前記中詰材の前記隔室への投入毎に累積された前記中詰材投入情報を表示することにより、隔室毎に累積された中詰材投入情報をオペレータ等が簡単に知ることができる。
【０００９】
また、前記中詰材投入情報は、前記中詰材投入手段による中詰材の隔室への投入回数であり、前記表示手段は、前記隔室の平面位置に前記投入回数を表示し、前記投入回数が最も少ない隔室について表示をすることにより、オペレータ等が次に投入対象とする隔室を簡単に知ることができるので、投入作業が容易になる。また、投入回数が最も少ない隔室に中詰材を投入できるので、ケーソンにおける偏荷重や傾きの発生を防ぐことができる。
【００１０】
また、前記中詰材投入手段による中詰材の各隔室への投入を所定の順序で行うように前記表示手段は前記中詰材を次に投入すべき隔室について表示をすることにより、オペレータ等が中詰材を次に投入すべき隔室を簡単に知ることができるので、投入作業が容易になる。また、各隔室への投入を所定の順序で行うことができるので、あらかじめケーソンにおける偏荷重や傾きが生じ難いような順序を決めておくことで、ケーソンにおける偏荷重や傾きの発生を防ぐことができる。
【００１１】
本実施形態によるケーソン中詰材投入管理方法は、複数の隔室を有するケーソンの各隔室に中詰材を投入するときの管理方法であって、船が有する中詰材投入手段がブームおよび投入部を駆動して中詰材をケーソンの隔室に投入する時、前記投入部の平面座標を計測するステップと、前記中詰材が投入された隔室を前記計測された投入部の平面座標に基づいて情報処理手段が特定するステップと、前記情報処理手段が中詰材投入情報を前記特定された隔室と関連付けて記憶するステップと、を含むことを特徴とする。
【００１２】
このケーソン中詰材投入管理方法によれば、ケーソンの各隔室へ中詰材を投入するとき、ケーソンの隔室毎に中詰砂の投入量を正確に把握し中詰砂を均等に投入できるように管理することができる。これにより、ケーソンにおける偏荷重や傾きの発生を防ぐことができる。
【００１３】
上記ケーソン中詰材投入管理方法において、前記船が複数あり各中詰材投入手段を用いて中詰材を投入する場合、前記船毎に前記情報処理手段を配置し、前記各情報処理手段は互いに接続され、前記記憶ステップにおいて前記各情報処理手段が別の船における中詰材投入情報を記憶して共有することで、複数のガット船を使用した場合でも、ケーソンの隔室毎に中詰砂の投入量を正確に把握し中詰砂を均等に投入できるように管理できる。
【００１４】
また、前記情報処理手段が前記ケーソンの隔室の平面座標および前記中詰材投入情報を表示手段に表示させる表示ステップをさらに含み、前記中詰材の前記隔室への投入毎に累積された前記中詰材投入情報を表示することにより、隔室毎に累積された中詰材投入情報をオペレータ等が簡単に知ることができる。
【００１５】
また、前記中詰材投入情報は、前記中詰材投入手段による中詰材の隔室への投入回数であり、前記表示ステップにおいて前記隔室の平面位置に前記投入回数を表示し、前記投入回数が最も少ない隔室について表示をすることにより、オペレータ等が次に投入対象とする隔室を簡単に知ることができるので、投入作業が容易になる。また、投入回数が最も少ない隔室に中詰材を投入できるので、ケーソンにおける偏荷重や傾きの発生を防ぐことができる。
【００１６】
また、前記中詰材投入手段による中詰材の各隔室への投入を所定の順序で行うように前記表示ステップにおいて前記中詰材を次に投入すべき隔室について表示をすることにより、オペレータ等が中詰材を次に投入すべき隔室を簡単に知ることができるので、投入作業が容易になる。また、各隔室への投入を所定の順序で行うことができるので、あらかじめケーソンにおける偏荷重や傾きが生じ難いような順序を決めておくことで、ケーソンにおける偏荷重や傾きの発生を防ぐことができる。
【００１７】
また、本実施形態によるもう１つのケーソン中詰材投入管理方法は、複数の隔室を有するケーソンの各隔室に中詰材を投入するときの管理方法であって、上述の記載のケーソン中詰材投入管理システムを用いることを特徴とする。
【００１８】
このケーソン中詰材投入管理方法によれば、ケーソンの各隔室へ中詰材を投入するとき、ケーソンの隔室毎に中詰砂の投入量を正確に把握し中詰砂を均等に投入できるように管理することができる。これにより、ケーソンにおける偏荷重や傾きの発生を防ぐことができる。
【００１９】
本実施形態によるコンピュータ用プログラムは、上述のケーソン中詰材投入管理方法における各ステップを情報処理手段に実行させるためのプログラムである。
【００２０】
このコンピュータ用プログラムによれば、ケーソンの各隔室へ中詰材を投入するとき、ケーソンの隔室毎に中詰砂の投入量を正確に把握し中詰砂を均等に投入できるように情報処理手段を作動させることができる。
【発明の効果】
【００２１】
本発明によれば、ケーソンの各隔室へ中詰砂を投入するとき、複数のガット船を使用した場合でも、ケーソンの隔室毎に中詰砂の投入量を正確に把握し中詰砂を均等に投入できるように管理可能なケーソン中詰材投入管理システム、方法およびそのためのコンピュータ用プログラムを提供することができる。
【図面の簡単な説明】
【００２２】
【図１】本実施形態によるケーソン中詰材投入管理システムを説明するための概略図である。
【図２】二隻のガット船に搭載される図１のケーソン中詰材投入管理システムを概略的に示すブロック図である。
【図３】本実施形態におけるケーソンの複数の隔室と、ケーソンに接舷する２隻のガット船の位置とを概略的に示す平面図である。
【図４】図２のケーソン中詰材投入管理システムのパソコン（ＰＣ）の概略的構成を示すブロック図である。
【図５】図１，図２の表示部に表示される中詰材投入管理画面の例を示す図である。
【図６】図１〜図５のケーソン中詰材投入管理システムによる第１の動作による各ステップ（Ｓ０１〜Ｓ１４）を説明するためのフローチャートである。
【図７】図１〜図５のケーソン中詰材投入管理システムによる第２の動作における各ステップ（Ｓ２１〜Ｓ３２）を説明するためのフローチャートである。
【図８】図７による動作においてケーソンの各隔室に中詰砂を投入する順序(1)〜(12)を説明するための図（ａ）〜（ｌ）である。
【図９】図７の右回り演算式（ケース４）によるステップＳ２７等を説明するための図である。
【図１０】図８のケーソンの各隔室の位置をあらわすために設定したＸＹ座標系を示す図（ａ）および図９において使用する数値についての定義を示す表（ｂ）である。
【発明を実施するための形態】
【００２３】
以下、本発明を実施するための形態について図面を用いて説明する。図１は本実施形態によるケーソン中詰材投入管理システムを説明するための概略図である。図２は二隻のガット船に搭載される図１のケーソン中詰材投入管理システムを概略的に示すブロック図である。
【００２４】
図１に示すように、複数の隔室Ｒを有する比較的大型のケーソンＫＳが護岸・岸壁工事などのために水底地盤Ｇに設置されると、各隔室Ｒには中詰砂などの中詰材がガット船ＧＴなどを用いて投入される。図１のガット船ＧＴは、グラブ付き揚貨装置を有する自航式石材運搬船で、中詰材などの投入手段として、旋回・伸縮可能なブームＢＭとその先端から吊り下げられ開閉可能な投入部であるグラブＧＢとを有する。ガット船ＧＴのオペレータ室ＯＰでの操縦によりブームＢＭの伸縮や旋回およびグラブＧＢの開閉が制御されて運搬されてきた中詰砂がケーソンＫＳの隔室Ｒに投入される。なお、ケーソンＫＳが設置される水底地盤Ｇは、あらかじめ捨石などにより基礎マウンドが構築される場合がある。
【００２５】
図１のケーソン中詰材投入管理システム１０は、ガット船ＧＴが運搬してきた中詰砂をブームＢＭとグラブＧＢとの操縦によりケーソンＫＳの隔室Ｒに投入するとき、その中詰砂の投入回数などの投入情報を管理し、また、中詰砂を投入すべき適切な隔室Ｒをオペレータ室ＯＰに指示するようにしたものである。
【００２６】
図１のケーソン中詰材投入管理システム１０は、図２のように、各種情報を入力し所定の情報処理を行い中詰砂の投入情報等を記憶する情報処理手段としてのパーソナルコンピュータ（パソコン、ＰＣ）１１と、液晶表示モニタからなり各種情報を表示する表示部１２と、別のガット船との間で投入情報等を共有するために無線アンテナ１３ａを介して情報通信を行う無線ＬＡＮ１３と、ＧＰＳ本体１４と、ＧＰＳアンテナ等からなりブームＢＭの先端やグラブＧＢの上部中央等に設けられるＧＰＳ受信部１５と、グラブＧＢの開閉を検知するグラブ開閉センサ１６と、を備える。
【００２７】
グラブ開閉センサ１６は、グラブＧＢの実際の開閉を検知する構成、または、グラブ開閉ワイヤの送り出しを検知する構成などとすることができるが、これらに限定されるものではない。
【００２８】
図２は、別のガット船に搭載されるもう１つのケーソン中詰材投入管理システム１０Ａも示すが、ケーソン中詰材投入管理システム１０と同様に、パーソナルコンピュータ（パソコン、ＰＣ）２１と、表示部２２と、無線ＬＡＮ２３と、ＧＰＳ本体２４と、ＧＰＳ受信部２５と、グラブ開閉センサ２６と、を備える。
【００２９】
図３は、本実施形態におけるケーソンの複数の隔室と、ケーソンに接舷する２隻のガット船の位置とを概略的に示す平面図である。図４は、図２のケーソン中詰材投入管理システム１０，１０Ａのパソコン（ＰＣ）１１，２１の概略的構成を示すブロック図である。
【００３０】
図３のように、例えば、６列（Ａ〜Ｆ）×５列（１〜５）の計３０の隔室を有するような比較的大型のケーソンＫＳに対し中詰砂を投入する場合、２隻のガット船ＧＴ１，ＧＴ２を用いる。ガット船ＧＴ１，ＧＴ２の各ブームＢＭ１，ＢＭ２はクレーンの回転中心ｒ１，ｒ２を中心に旋回し、所定位置でその先端から吊り下げられたグラブＧＢ（図１）から中詰砂が隔室に投入されるが、ブーム長などの関係からガット船ＧＴ１一隻でケーソンＫＳのすべての隔室に投入できない場合があり、例えば、図３の破線ａまでの範囲の隔室に対し中詰砂を投入可能である。同様にして、ガット船ＧＴ２についても中詰砂を投入可能な範囲が設定される。
【００３１】
図４のように、図１，図２のケーソン中詰材投入管理システム１０のＰＣ１１は、各種制御を実行する中央演算処理装置（ＣＰＵ）３１と、無線ＬＡＮ１３等による各種情報の出入力のためのインターフェース部（Ｉ／Ｆ）３２と、情報入力のためのマウス等のポインティングデバイスやキーボード等からなる入力部３３と、各種情報を記憶するＲＯＭやＲＡＭ等からなる記憶部３４と、ハードディスクやＲＯＭ等の記憶装置から構成されＯＳ（オペレーティングシステム）３５ａおよびケーソン中詰材投入管理ソフト３５ｂ等のソフトウエアを格納するソフトウエア格納部３５と、制御の際にプログラムや各種情報を一時的に保存するＲＡＭ等からなるメモリ３６と、を有する。
【００３２】
図４の記憶部３４は、図３の破線ａで示すような一隻のガット船が投入可能な範囲にあるケーソンの各隔室の位置情報、ケーソンの各隔室の平面座標、投入情報としてケーソンの各隔室毎の中詰材投入回数や中詰材投入量などの各種情報を記憶する。
【００３３】
図１〜図４のように、２隻のガット船同士は、ＰＣ１１，２１が図２の破線のように、無線ＬＡＮ１３，２３により互いに無線接続されることで、ＰＣ１１，２１の各記憶部に同じ投入情報等の各種情報を記憶することができ、投入情報の共有化を実現できる。
【００３４】
また、ＧＰＳ受信部１５，２５およびＧＰＳ本体１４，２４は、受信したＧＰＳ位置情報からグラブＧＢの平面座標情報を取得し、このグラブＧＢの平面座標情報と、記憶部３４に記憶されたケーソンＫＳの隔室Ｒの平面座標情報とから、グラブＧＢのケーソンＫＳの隔室Ｒに対する平面位置を確定することができる。
【００３５】
グラブＧＢを開放して中詰砂を投入すると、その中詰材投入をグラブ開閉センサ１６が検知することで、グラブＧＢの平面位置と対応するケーソンＫＳの隔室Ｒに投入されたことを検知し、その中詰砂が投入された隔室Ｒについて中詰材投入１回がカウントされて記憶部３４に記憶される。このようにして、中詰砂が投入されるたびにケーソンＫＳの各隔室毎に中詰材投入回数が記憶部３４に記憶される。
【００３６】
なお、グラブＧＢがブームＢＭの旋回によりガット船ＧＴの砂貯蔵部へ移動し、その位置で中詰砂をつかむために開放しても、そのグラブＧＢの平面位置と対応するケーソンＫＳの隔室は存在しないので、中詰材投入はカウントされない。また、グラブＧＢの容量（グラブＧＢが中詰砂を保持する容積）は既知であるので、中詰材投入回数から積算された中詰材投入量を算出することができる。
【００３７】
図５は図１，図２の表示部に表示される中詰材投入管理画面の例を示す図である。
【００３８】
ＰＣ１１，２１の表示部１２，２２には、図５のように、中詰材投入管理画面として、ケーソンの複数の隔室の平面図が表示され、表示された各隔室に積算された中詰材投入回数が表示される。これにより、ケーソンの各隔室毎の中詰材投入回数を視覚的に知ることができる。
【００３９】
なお、図５のような中詰材投入管理画面に中詰材投入回数とともに積算された中詰材投入量（グラブＧＢの容量×中詰材投入回数）を表示するようにしてもよく、また、積算された中詰材投入量のみを表示するようにしてもよい。積算された中詰材投入量の表示は、複数のガット船を用い、ガット船毎にグラブの容量が異なる場合に適している。
【００４０】
また、ケーソンの各隔室への均等な中詰砂の投入のために、パソコン１１，２１は、各隔室の中詰材投入回数の差を算出し、投入回数差が所定の値以上となったと判断すると、表示部１２，２２において投入回数のもっとも少ない隔室を選定し図の線ｂのようなフリッカ表示等により警告表示をする。これにより、オペレータ室ＯＰのオペレータは、中詰材投入回数にバラツキがでてきたこと、および、ケーソンで偏荷重にならないように次に投入すべき隔室の位置を知ることができる。
【００４１】
なお、投入回数差が所定の値未満となると、フリッカ表示等による警告表示は止まる。また、画面表示した隔室を投入回数ごとに色分けし、中詰材投入回数を数値表示とあわせて色別表示してもよい。
【００４２】
また、ＰＣ１１，２１は、ケーソンにおける偏荷重を考慮した中詰砂投入推奨位置を選定し、図５の破線ｃのようなマーキングで表示する。また、図５のように、ＧＰＳ位置情報から得たブームＢＭの先端位置を図の線ｄのように表示することで、オペレータはブームＢＭの現在位置を把握することができる。
【００４３】
また、ＰＣ１１，２１は、図３のようなケーソンにおいて各ガット船による中詰砂投入可能な隔室範囲が設定されると、その投入可能な隔室範囲（隔室の平面座標）を記憶部３４に記憶させる。図５の破線ｃのようなマーキングで中詰砂投入推奨位置が選定されたとき、もし、そのガット船の投入可能範囲外であると、そのガット船の表示部には図５の破線ｃのようなマーキングは表示されず、投入可能範囲内であるガット船の表示部に表示される。
【００４４】
図４のＰＣ１１のソフトウエア格納部３５のケーソン中詰材投入管理ソフト３５ｂには、ケーソン中詰材投入管理のためのプログラムがインストールされて格納されており、このプログラムがＣＰＵ３１の制御により実行されることで、ＰＣ１１は、図６，図７，図９等における各ステップを実行することができる。なお、ＰＣ２１も、図４と同様に構成されている。
【００４５】
〈第１の動作〉
図１〜図５のケーソン中詰材投入管理システム１０，１０Ａによる第１の動作について図６を参照して説明する。図６は、図１〜図５のケーソン中詰材投入管理システムによる第１の動作による各ステップ（Ｓ０１〜Ｓ１４）を説明するためのフローチャートである。
【００４６】
まず、事前設定として、図１のように、使用するガット船ＧＴのブームＢＭ先端にＧＰＳ受信部１５を設置し、オペレータ室ＯＰにＰＣ１１やＧＰＳ本体１４等を設置する。なお、もう１隻のガット船を使用する場合には、図２のＧＰＳ受信部２５、ＰＣ２１やＧＰＳ本体２４等を同様に設置する。ＰＣ１１，２１のソフトウエア格納部３５のケーソン中詰材投入管理ソフト３５ｂにインストールされているケーソン中詰材投入管理プログラムを立ち上げ、ケーソンの平面座標やブーム長のデータをパソコン１１，２１へ入力し、記憶部３４に記憶させる（Ｓ０１）。
【００４７】
図３のように、ガット船ＧＴ１をケーソンＫＳに接舷して、ガット船ＧＴ１の位置決めを行う。このとき、パソコン１１は、ブーム長から計算される図３の破線ａのような投入可能範囲を表示部１２の画面に表示する。ブーム長により投入可能範囲を決定し、クレーン回転中心ｒ１，ｒ２を原点とし、各隔室の平面座標を認識させ、記憶部３４に記憶させる。
【００４８】
次に、ＰＣ１１の表示部１２に、新規の作業であるか否かを問う画面を表示する（Ｓ０３）。新規作業の場合は、画面上で「新規」ボタンを押し、新規作業でない場合は前回のデータを更新する（Ｓ０４）。
【００４９】
次に、使用するガット船が、単独であるか２隻であるかを問う画面（「単独  or  ２隻」を表示し、画面上で「単独」「２隻」のいずれかを選択する（Ｓ０５）。
【００５０】
ガット船を２隻使用する場合は、ＰＣ１１，２１を無線ＬＡＮ１３，２３で無線接続し、中詰砂の投入データを共有化する（Ｓ０６）。
【００５１】
次に、ガット船のＰＣ１１の表示部１２の画面に表示される「投入開始」ボタンを押す（Ｓ０７）。これにより、図５のような中詰材投入管理画面４１がＰＣ１１の表示部１２に表示される。
【００５２】
ガット船が中詰砂を運搬し、ブームＢＭとグラブＧＢを操縦してケーソンＫＳの隔室に対し中詰砂投入作業を行う（Ｓ０８）。図５の表示部１２の中詰材投入管理画面４１にはケーソンの各隔室毎に中詰材投入回数が表示される。すなわち、中詰砂が投入されると、その投入をグラブ開閉センサ１６が検知し、ＧＰＳ位置情報から得たグラブＧＢの平面座標に基づいて投入を特定された隔室に、１が加算された中詰砂投入回数が表示される。
【００５３】
図５の中詰材投入管理画面４１には、ブームＢＭの先端位置が線ｄのように表示され、このとき、中詰砂投入回数が少ないため線ｂのようなフリッカ表示がされると、その隔室の位置にブームＢＭを移動させて中詰材の投入を行うことができる。このように、フリッカ表示等の警告表示をすることで投入回数の少ない隔室をオペレータに知らせ、その隔室にブームＢＭを誘導し、ケーソンＫＳにおいて偏荷重にならないように投入を行うことができる。
【００５４】
また、フリッカ表示がされない場合でも、図５のマーキングの線ｃによりケーソンＫＳにおける偏荷重を考慮した投入推奨位置を表示することで、オペレータは、その推奨位置の隔室に中詰砂の投入を行うことができる。
【００５５】
次に、ガット船による中詰砂投入作業が終了すると、表示部１２に、「ガット船の中詰砂がなくなる  or  規定量入った」のいずれかを問う画面が表示される（Ｓ０９）。未だ規定量に達せず、「中詰砂がなくなる」を選択すると、次に使用するガット船が、単独であるか２隻であるかを問う画面（「単独  or  ２隻」が表示され、画面上で「単独」「２隻」のいずれかを選択する（Ｓ１０）。なお、ケーソンの各隔室に中詰砂が規定量だけ入った場合は、作業終了となる（Ｓ１４）。
【００５６】
ステップＳ１０で単独のガット船を選択した場合は、ステップＳ０６で無線ＬＡＮ接続した共有化を解除する（Ｓ１１）。
【００５７】
次に、表示部１２には、投入作業の「完了  or  継続」を問う画面が表示され（Ｓ１２）、投入作業の「継続」を選択すると、ガット船は中詰砂の搬入をしてから（Ｓ１３）、ステップＳ０２に戻り、以降、同じ手順を繰り返す。また、投入作業が完了の場合、表示部１２に表示された「完了」ボタンを押すことで、作業を終了する（Ｓ１４）。
【００５８】
以上のように、本実施形態のケーソン中詰材投入管理システムによれば、中詰砂の投入を行うガット船のグラブの平面座標をＧＰＳから得て、グラブの平面座標と各隔室の平面座標とから、中詰材の投入をグラブ開閉センサ１６が検知すると、投入された隔室を特定し、投入１回がカウントされ、自動的に中詰材投入回数が積算されて記憶される。
【００５９】
従来、中詰材投入回数や投入済隔室の確認はオペレーターの記憶や目視に頼っていたが、大型ケーソンの場合、ガット船２隻で中詰材投入作業を行うため、投入隔室の把握が難しく、各隔室に均等に砂を投入できなかったのに対し、本実施形態によれば、２隻のガット船で中詰砂投入作業を行う場合、双方のＰＣ１１，２１を無線接続して、ケーソンの各隔室毎の中詰材投入回数のデータを共有化して記憶し、ケーソン全体の中詰材投入回数を表示部に表示することで、ケーソンの各隔室に対する中詰材投入を正確かつ一元的に管理することができる。
【００６０】
ケーソンの各隔室毎に中詰材投入回数がばらついた場合、ＰＣの表示部に、投入回数が少なく投入回数差の大きい隔室を警告表示やマーキング表示し、または、投入回数が少ない隔室をマーキング表示や警告表示することで、次に投入する隔室を簡単に知ることができるとともに、ケーソンに偏荷重が生じないように管理でき、ケーソンの傾きの発生を防ぐことができる。
【００６１】
〈第２の動作〉
図１〜図５のケーソン中詰材投入管理システム１０，１０Ａによる第２の動作について図７〜図１０を参照して説明する。
【００６２】
図７は、図１〜図５のケーソン中詰材投入管理システムによる第２の動作における各ステップ（Ｓ２１〜Ｓ３２）を説明するためのフローチャートである。図８は、図７による動作においてケーソンの各隔室に中詰砂を投入する順序(1)〜(12)を説明するための図（ａ）〜（ｌ）である。
【００６３】
第２の動作は、複数の隔室を有するケーソンについて、中詰砂の隔室に対する投入順序を所定のルールで決定し、表示部に表示し、オペレータが表示部に表示された順序に従って中詰砂の投入作業を行うことで、投入作業を容易化したものである。この場合、ケーソンの各隔室への中詰砂の投入作業は、図６の第１の動作によって行うことができる。
【００６４】
ここで、中詰砂投入の対象となる隔室の選定について説明する。本実施形態における隔室の選定は、次のケース１〜４のいずれかに該当する。なお、最初の投入は任意に選定された隔室に対して行う。
【００６５】
ケース１（CASE1）：前回投入した隔室の右の隔室
ケース２（CASE2）：前回投入した隔室の対角位置にある隔室
ケース３（CASE3）：前回投入した隔室の左の隔室
ケース４（CASE4）：図９に示す「右回り演算式」により選定された隔室
【００６６】
図７を参照して第２の動作について説明すると、まず、事前設定として、ケーソンの隔室の数、ケーソンの寸法、投入規定回数をＰＣ１１に入力し、記憶部３４に記憶させる（Ｓ２１）。
【００６７】
なお、本例では、ケーソンの隔室の数を図８のように縦３列、横４列の計１２室としたが、これは一例であって、他の隔室構成であってよい。また、投入規定回数は、ケーソンの各隔室において所定量の中詰砂が投入されるべき容積と、グラブが中詰砂を保持する容積とから算出される中詰砂の総投入回数であり、投入回数が投入規定回数に達すれば、その隔室に対する中詰砂の投入が終了したと判断される。なお、投入回数ではなく、中詰砂の投入量で判断するようにしてもよい。
【００６８】
次に、中詰砂をケーソンの任意の位置の隔室に投入する（Ｓ２２）。例えば、図８（ａ）の(1)で示す隔室である。
【００６９】
次に、前回の投入位置を基準にして、ケーソンの重心に対し偏心の少ない対角位置の隔室を選定する（Ｓ２３）。そして、その選定された対角位置の隔室が投入済みであるかを判断し（Ｓ２４）、投入が未だ済んでいない場合、その隔室の位置を、ＰＣ１１の表示部１２に表示された図５のような中詰材投入管理画面において、次に投入すべき隔室としてフリッカ表示する（Ｓ２９）。
【００７０】
次に、そのフリッカ表示により指定された隔室に中詰砂を投入する（Ｓ３０）。図８（ｂ）の(2)で示す隔室である。これがケース２の場合である。
【００７１】
次に、すべての隔室に対し中詰砂を１回投入したかを判断し（Ｓ３１）、未だ投入していないのでステップＳ２３，Ｓ２４へ戻るが、対角位置の隔室には既に投入がされているから、次に、前回投入した隔室の右に空の隔室があるかを判断する（Ｓ２５）。この隔室は空であるので、この隔室に対しフリッカ表示し（Ｓ２９）、その隔室に中詰砂を投入する（Ｓ３０）。図８（ｃ）の(3)で示す隔室である。これがケース１の場合である。
【００７２】
次に、ステップＳ２３，Ｓ２４へ戻ると、前回投入した隔室の対角位置の隔室には投入されていないから、この隔室に対しフリッカ表示し（Ｓ２９）、その隔室に中詰砂を投入する（Ｓ３０）。図８（ｄ）の(4)で示す隔室である。ケース２である。
【００７３】
次に、ステップＳ２３，Ｓ２４，Ｓ２５に戻ると、前回投入した隔室の右の隔室には既に投入がされているから、次に、前回投入した隔室の左に空の隔室があるかを判断する（Ｓ２６）。この隔室は空であるので、この隔室に対しフリッカ表示し（Ｓ２９）、その隔室に中詰砂を投入する（Ｓ３０）。図８（ｅ）の(5)で示す隔室である。これがケース３の場合である。
【００７４】
次に、ステップＳ２３，Ｓ２４へ戻ると、前回投入した隔室の対角位置の隔室には未だ投入されていないから、この隔室に対しフリッカ表示し（Ｓ２９）、その隔室に中詰砂を投入する（Ｓ３０）。図８（ｆ）の(6)で示す隔室である。ケース２である。
【００７５】
次に、ステップＳ２３，Ｓ２４，Ｓ２５，Ｓ２６に戻るが、前回投入した隔室の左の隔室には既に投入されているから、次に、「右回り演算式」で空の隔室を選定する（Ｓ２７）。そして、この選定した隔室が空であるか否かを判断し（Ｓ２８）、空であれば、この隔室に対しフリッカ表示し（Ｓ２９）、その隔室に中詰砂を投入する（Ｓ３０）。図８（ｇ）の(7)で示す隔室である。これがケース４の場合である。
【００７６】
以降、同様にして、ケース１〜４による空の隔室の選定、フリッカ表示（Ｓ２９）、中詰砂投入（Ｓ３０）を繰り返し、その結果、順に、図８（ｈ）〜（ｌ）の(8)(9)(10)(11)(12)の隔室に中詰材が投入される。
【００７７】
すべての隔室に対し中詰砂を１回投入したと判断されるので（Ｓ３１）、次に、投入規定回数に達していないと判断されると（Ｓ３２）、ステップＳ２２に戻り、以降、同様にして、隔室選定、フリッカ表示、中詰材投入が投入規定回数に達するまで行われる（Ｓ３２）。
【００７８】
以上のように、図７，図８のケーソン中詰材投入管理方法によれば、ケーソンの複数の隔室に対し中詰砂の投入順序をＰＣの表示部に表示し、次に投入すべき隔室をフリッカ表示などにより警告表示してオペレータに知らしめるので、オペレータの投入作業が容易となり、オペレータの負担が軽減する。
【００７９】
また、すべての隔室に中詰砂を１回投入してから、次の回の中詰砂を投入するので、投入回数差が１回を超えることがなく、ケーソンに対して偏荷重が少なくなるように中詰砂の投入を行うことができる。
【００８０】
また、中詰砂をステップＳ２２，Ｓ２３において、次の中詰材投入対象とする隔室を選定するに当たり、前回投入した隔室を基準にしてケーソンの重心に対して偏心の少ない対角位置の隔室をまず選定し、ケース２による対角位置の選定を優先するので、ケーソンに偏荷重や傾きが生じないように中詰砂を均等に投入することができる。
【００８１】
次に、上述のステップＳ２７，Ｓ２８におけるケース４（CASE4）の「右回り演算式」による隔室の選定について図９，図１０を参照して説明する。
【００８２】
図９は図７の右回り演算式（ケース４）によるステップＳ２７等を説明するための図である。図１０は、図８のケーソンの各隔室の位置をあらわすために設定したＸＹ座標系を示す図（ａ）および図９において使用する数値についての定義を示す表（ｂ）である。
【００８３】
図８（ｆ）の(6)で示す隔室への中詰砂の投入に続いて投入すべき隔室は、上述のように、ステップＳ２３〜Ｓ２６で選定された隔室が既に投入済みと判断された場合、次のようにして選定される（ケース４）。
【００８４】
図１０（ａ）（ｂ）のように、縦３列×横４列のケーソンの隔室について、ＸＹ座標を設定し、各隔室をＸＩ（Ｉ＝１，２，３，４），ＹＩ（Ｉ＝１，２，３）であらわす。
【００８５】
はじめに、最後に投入された隔室（図８（ｆ）の(6)で示す）のＸ位置がＸＩ＝１であるか否かを判断する（Ｓ４１）。いま、図８（ｆ）の(6)で示す隔室（ＸＩ＝４，ＹＩ＝１）の次の隔室を選定する場合であるので、ＸＩ＝４である。したがって、ＸＩ＝１ではないので、次に、ＸＩ＝Ｘｍであるか否かを判断する（Ｓ４５）。Ｘｍは、Ｘの最大値であるので、ＸＩ＝４＝Ｘｍである。
【００８６】
次に、ＹＩ＝１であるか否かを判断する（Ｓ４６）。ＹＩ＝１であるので、次に、隔室がＸ＝ＸＩ−１、Ｙ＝ＹＩと選定される（Ｓ４７）。すなわち、Ｘ＝３，Ｙ＝１の隔室である。しかし、ここは、図８（ｆ）の(3)で示す隔室であり、既に投入されているので（図７のＳ２８）、図７のステップＳ２７に戻る。すなわち、図９のステップＳ４１に戻る。
【００８７】
そして、ＸＩ＝１ではなく（Ｓ４１）、ＸＩ＝ｍではないので（Ｓ４２）、次に、ＹＩ＝１であるか否かを判断する（Ｓ４９）。ＹＩ＝１であるので、次に、隔室がＸ＝ＸＩ−１、Ｙ＝ＹＩと選定される（Ｓ５０）。すなわち、Ｘ＝２，Ｙ＝１の隔室である。しかし、ここは、図８（ｆ）の(2)で示す隔室であり、既に投入されているので、ステップＳ４１にふたたび戻る。
【００８８】
同様に、ステップ４１，Ｓ４５，Ｓ４９の判断がされ、隔室がＸ＝ＸＩ−１、Ｙ＝ＹＩと選定される（Ｓ５０）。すなわち、ＸＩ＝１，ＹＩ＝１の隔室である。ここは、未だ投入されていないので、図８（ｇ）の(7)で示す隔室に中詰材が投入される。
【００８９】
次に、別の場合について説明する。すなわち、(8)で示す隔室に投入された図８（ｈ）において次の隔室を選定する場合である。ステップＳ４１からはじめる。すなわち、最後に投入された隔室（図８（ｈ）の(8)で示す）のＸ位置がＸＩ＝１であるか否かを判断する（Ｓ４１）。
【００９０】
図８（ｈ）の(8)で示す隔室は、ＸＩ＝４，ＹＩ＝３であるから、ステップＳ４５，Ｓ４６を経て、隔室がＸ＝ＸＩ，Ｙ＝ＹＩ−１と選定される（Ｓ４８）。すなわち、ＸＩ＝４，ＹＩ＝２の隔室である。ここは、未だ投入されていないので、図８（ｉ）の(9)で示す隔室に中詰材が投入される。
【００９１】
以上のように、ケーソンの隔室に対する中詰砂投入の選定をケーソンに偏荷重および傾きが生じないように行うことができる。また、図７，図９の隔室選定方法によれば、ケーソンの隔室の個数が変わった場合でも、対応することができ、汎用的に適用可能である。
【００９２】
以上のように本発明を実施するための形態について説明したが、本発明はこれらに限定されるものではなく、本発明の技術的思想の範囲内で各種の変形が可能である。例えば、図９の「右回り演算式」による隔室の選定は、一例であって、右回り（時計回り）に隔室を選定するが、本発明はこれに限定されず、例えば、左回り（反時計回り）に隔室を選定するようにしてもよい。
【００９３】
また、注意を喚起する表示方法として、フリッカ表示（点滅表示）により説明したが、これに限定されず、赤色や黄色などの特定色による表示などであってもよい。
【００９４】
また、オペレータ等に次に中詰砂を投入すべき隔室を知らせるためにその隔室の位置を表示部に表示する場合、この表示とともにまたはこの表示に代えて電子合成音を生成する合成音手段などを用いて音声により指示するようにしてもよい。
【００９５】
また、本実施形態では、中詰砂の運搬および投入のためにガット船（グラブ付き揚貨装置を有する自航式石材運搬船）を用いたが、本発明はこれに限定されず、例えば、ブームとグラブを有する台船（非自航式船）と、中詰砂を運搬するバージ船等の運搬船とを用いて、運搬船を台船に横付けして中詰砂の投入を行うようにしてもよい。
【００９６】
また、図６のステップＳ０３，Ｓ０４，Ｓ０５，Ｓ０７，Ｓ０９，Ｓ１０，Ｓ１２，Ｓ１４等における表示部１２，２２の画面構成例の図示は省略したが、それらは、本明細書の記載に基づいて適宜構成可能である。
【産業上の利用可能性】
【００９７】
本発明のケーソン中詰材投入管理システム・方法によれば、複数の隔室を有する比較的大型のケーソンを護岸・岸壁工事などのために水底地盤に設置してから各隔室に中詰材を投入するとき、ケーソンへの中詰材の確実な投入管理を実現でき、ケーソンに偏荷重や傾きが生じない。
【符号の説明】
【００９８】
１０，１０Ａ  ケーソン中詰材投入管理システム  １１，２１  パソコン、ＰＣ（情報処理手段）  １２，２２  表示部  １４，２４  ＧＰＳ本体  １５，２５  ＧＰＳ受信部  １６，２６  グラブ開閉センサ  ３４  記憶部  ３５  ソフトウエア格納部  ４１  中詰材投入管理画面  ＧＢ  グラブ（投入部）  ＧＴ  ガット船  ＫＳ  ケーソン  Ｒ  隔室
【図１】
0005688769.tif 000002
【図２】
0005688769.tif 000003
【図３】
0005688769.tif 000004
【図４】
0005688769.tif 000005
【図５】
0005688769.tif 000006
【図６】
0005688769.tif 000007
【図７】
0005688769.tif 000008
【図８】
0005688769.tif 000009
【図９】
0005688769.tif 000010
【図１０】
0005688769.tif 000011